(57)【要約】【課題】給水中に蛇口の栓で給水が停止されても、電気駆動弁を閉弁することが出来る定量止水装置を提供する。【解決手段】電気的に駆動され主水路３を開閉する電気駆動弁５と、該電気駆動弁５とは並列の補助水路１３を開閉する手動操作弁１２と、前記補助水路１３の主水路３への合流部の先で水流で回転する水車８を備え、この水車８の回転に基づいて発電する発電機７と、該発電機７で発電した電気を蓄電する蓄電器１０と、更に前記水車８の回転数に応じたパルスを発生させ、該パルスのカウントにより主水路３の積算流量を検知して設定値に達することで、電気駆動弁５を閉弁させて給水停止させる制御部９とで構成されたもので、前記制御部９には電気駆動弁５が開弁状態で水流が停止した時には、前記電気駆動弁５への通電を停止して強制的に閉弁させる安全装置１４を備えたことにより、簡単な改良のみでこの種の止水装置の大きな問題点を解決出来した。【選択図】図１
2006307431.tif 000002
【特許請求の範囲】
【請求項１】
電気的に駆動され主水路を開閉する電気駆動弁と、該電気駆動弁とは並列の補助水路を開閉する手動操作弁と、前記補助水路の主水路への合流部の先で水流で回転する水車を備え、この水車の回転に基づいて発電する発電機と、該発電機で発電した電気を蓄電する蓄電器と、更に前記水車の回転数に応じたパルスを発生させ、該パルスのカウントにより主水路の積算流量を検知して設定値に達することで、電気駆動弁を閉弁させて給水停止させる制御部とで構成されたものに於いて、前記制御部には電気駆動弁が開弁状態で水流が停止した時には、前記電気駆動弁への通電を停止して強制的に閉弁させる安全装置を備えた事を特徴とする定量止水装置。
【請求項２】
前記安全装置は、電気駆動弁が開弁状態で水流が停止すると、カウントを開始し所定時間経過で、電気駆動弁への通電を停止して強制的に閉弁させるタイマー手段で構成された事を特徴とする請求項１記載の定量止水装置。
【発明の詳細な説明】
【技術分野】
【０００１】
この発明は、設定量の給水を行ったところで自動的に給水を停止する定量止水装置に関するものである。
【背景技術】
【０００２】
従来よりこの種のものに於いては、初期使用では蓄電されていない為に、手動操作弁を手動で開弁して蓄電するものであり、以後は給水で自動的に蓄電され、手動操作弁を操作する必要はなかった。（例えば、特許文献１参照）
【特許文献１】特開２００２−２０１６８０号公報
【発明の開示】
【発明が解決しようとする課題】
【０００３】
ところでこの従来のものでは、既存の蛇口に取り付けて使用されるので、給水中に誤って蛇口の栓を閉めて給水を停止してしまうと、水車の回転が止まり蓄電が停止すると共に、電気駆動弁は開弁状態を維持するので電気を消費し、再使用では初期使用と同様に手動操作弁の操作による蓄電をしないといけない言う不具合が発生し、手間がかかるものであり、特にお年寄りの居る家庭に多く発生して、その度にサービスマンが出向くこととなり、更に手動操作弁がドライバー等の工具を必要とするものでは、簡単に上記のような初期設定をすることも出来ないものであった。
【課題を解決するための手段】
【０００４】
そこで、この発明は上記課題を解決するため、特にその構成を、電気的に駆動され主水路を開閉する電気駆動弁と、該電気駆動弁とは並列の補助水路を開閉する手動操作弁と、前記補助水路の主水路への合流部の先で水流で回転する水車を備え、この水車の回転に基づいて発電する発電機と、該発電機で発電した電気を蓄電する蓄電器と、更に前記水車の回転数に応じたパルスを発生させ、該パルスのカウントにより主水路の積算流量を検知して設定値に達することで、電気駆動弁を閉弁させて給水停止させる制御部とで構成されたものに於いて、前記制御部には電気駆動弁が開弁状態で水流が停止した時には、前記電気駆動弁への通電を停止して強制的に閉弁させる安全装置を備えたものである。
【発明の効果】
【０００５】
この発明によれば、蛇口の栓で給水が停止されたとしても、電気駆動弁は強制的に閉弁されて貯えた電気の消費は防止されるので、改めて蓄電の為の初期設定の必要がなく、面倒な作業をすることなく手間をかからないものであり、簡単な改良のみでこの種の止水装置の大きな問題点を解決出来、常に安心して使用される装置を提供出来るものである。
【発明を実施するための最良の形態】
【０００６】
次にこの発明の一実施形態を図面に基づいて説明する。
１は定量止水装置で、既存の蛇口の栓２から先を構成するものであり、給水を行う主水路３の先端には給水口４を備えている。
５は主水路３を開閉する電磁弁から成る電気駆動弁で、弁駆動部６からの信号で開閉させられる。
【０００７】
７は主水路３中に備えられた発電機で、水流により回転する水車８を有し、この水車８の回転で発電し、マイコンから成る制御部９に備えたコンデンサーから成る蓄電器１０に蓄電する。
１１は前記水車８の回転数に応じて発生するパルスをカウントするパルスカウンタで、このカウントするパルス数が設定値に達することで、制御部９を介して弁駆動部６から電気駆動弁５に閉弁信号を出力させ、該電気駆動弁５を閉弁させることで給水を停止させる。
【０００８】
前記水車８の回転によって発生するパルスは、主水路３の通水の積算流量に対応したものとなり、パルス数が設定値に達したところで主水路３の通水を停止することにより、給水口４から確実に設定した流量で給水を行うことが出来るものである。
【０００９】
１２は電気駆動弁５を迂回する並列の補助水路１３に備えられた手動操作弁で、定量止水装置１の取り付け当初の初期設定時に、ドライバー使用の手動でこの手動操作弁１２を開弁して電気駆動弁５を迂回する水流を造り、水車８を数分間回転させることで始動用の電気を蓄電器１０に蓄電するものである。
【００１０】
１４は制御部９に備えられた安全装置を構成するタイマー手段で、電気駆動弁５が開弁状態で水流が停止すると、カウントを開始し所定時間ここでは１０秒経過で、該電気駆動弁５への通電を停止して強制的に閉弁させ、蓄電器１０の電力消費を防止する。
【００１１】
１５は押圧毎にＯＮとＯＦＦを交互に繰り返す運転スイッチで、ＯＮすることで弁駆動部６から開弁信号を出力させて電気駆動弁５を開弁し、更に押圧することでＯＦＦとなり弁駆動部６から閉弁信号を出力させて電気駆動弁５を閉弁させる。
【００１２】
１６は温度等を表示する表示部で、主水路３途中に備えられた温度センサ１７が検知した流水温度を制御部９を介して表示するものである。
【００１３】
次にこの実施形態の作動について説明すれば、先ず取り付け後の初期設定では、蛇口の栓２を開けた状態とし、手動操作弁１２をドライバー使用の手動で開弁することにより、補助水路１３に電気駆動弁５を迂回する水流が形成されて、水車８が数分間回転させることで始動用の電気を蓄電器１０に蓄電するものであり、その後再びドライバーを使用して手動操作弁１２は閉弁されて初期設定は終了する。
【００１４】
そして使用者自身が風呂桶一杯とかの希望する積算流量を制御部９に記憶させ設定値を決定してから、運転スイッチ１５をＯＮすると、電気駆動弁５が弁駆動部６かんの信号で開弁されて、主水路３に水流が発生し水車８を回転させることで、蓄電器１０に蓄電すると共に、この水車８の回転数に応じて発生するパルスをパルスカウンタ１１がカウントし、パルス数が設定値に達することにより電気駆動弁５を自動的に閉弁させることで、使用者が希望する設定量の流量を得ることが出来るものである。
【００１５】
次に前記の給水中に運転スイッチ１５をＯＦＦすることなく、断水や蛇口の栓２を閉めて給水を止める異常時について、図２のフローチャートで説明すれば、ステップ１８で水流が停止することで水車８によるパルス数のカウントが停止したかを判断し、ＹＥＳでステップ１９に進み電気駆動弁５が開弁状態かを判断し、ＮＯではステップ２０で水車８かパルスカウンタ１１或いは電気駆動弁５が異常状態であるとして、表示部１６にエラー表示する。
【００１６】
前記ステップ１９で電気駆動弁５が開弁状態でＹＥＳの場合には、ステップ２１に進みタイマー手段１４がカウントを開始し、そしてステップ２２に進んで１０秒経過することで、異常と判断してステップ２３で制御部９からの信号で、弁駆動部６を介して電気駆動弁５への通電を停止して強制的に閉弁させるものである。
【００１７】
従って、断水や蛇口の栓２で給水が停止されたとしても、電気駆動弁５は蓄電器１０の電力がなくなるまで開弁状態を維持することがなく、蓄電器１０の電力は保持されるので、改めて蓄電の為の初期設定の必要がなく、面倒な作業をすることなく手間をかからないものであり、簡単な改良のみでこの種の止水装置の大きな問題点を解決出来、常に安心して使用される装置を提供出来るものである。
【図面の簡単な説明】
【００１８】
【図１】この発明の一実施形態を示す定量止水装置の概略構成図。
【図２】同安全装置の作動状態を説明するフローチャート。
【符号の説明】
【００１９】
３  主水路
５  電気駆動弁
７  発電機
８  水車
９  制御部
１０  蓄電器
１１  パルスカウンタ
１２  手動操作弁
１３  補助水路
１４  タイマー手段（安全装置）
【図１】
2006307431.tif 000003
【図２】
2006307431.tif 000004